(57)【要約】      （修正有）【課題】留め具を必要とせず、美観にすぐれたアクセサリを提供する。【解決手段】中空状の第１本体部と、前記第１本体部の両端に開口する第１開口部を有する第１部材２０と、中空状の第２本体部と、前記第２本体部の両端に開口する第２開口部を有する第２部材３０と、前記第１部材２０と、前記第２部材３０と、を交互に複数配置し、前記第２部材３０を介して配置した前記第１部材２０と、他の第１部材２０と、を接近させるための近接部材と、を有し、それぞれ複数の前記第２部材３０における第２本体部の内部に、それぞれ複数の前記第１部材２０における第１本体部の一部を配置することで、前記近接部材によって、前記第２部材３０を介して配置された前記第１部材２０同士が接近するアクセサリで１０ある。【選択図】図１
2019092728.tif 000002
【特許請求の範囲】
【請求項１】
中空状の第１本体部と、前記第１本体部の両端に開口する第１開口部を有する第１部材と、
中空状の第２本体部と、前記第２本体部の両端に開口する第２開口部を有する第２部材と、
前記第１部材と、前記第２部材と、を交互に複数配置し、
前記第２部材を介して配置した前記第１部材と、他の第１部材と、を接近させるための近接部材と、を有し、
それぞれ複数の前記第２部材における第２本体部の内部に、それぞれ複数の前記第１部材における第１本体部の一部を配置することで、
前記近接部材によって、前記第２部材を介して配置された前記第１部材同士が接近すると共に、
前記第２部材を介して配置された前記第１部材同士を引き伸ばしたときに、前記第１部材における前記第１開口部と、前記第２部材における前記第２開口部と、が係合するアクセサリ。
【請求項２】
中空状の第１本体部と、前記第１本体部の両端に開口する第１開口部を有する第１部材と、
中空であり球状を呈する第４本体部と、前記第４本体部の両端に開口する第４開口部を有する第４部材と、
前記第１部材と、前記第４部材と、を交互に複数配置し、
前記第４部材を介して配置した前記第１部材と、他の第１部材と、を接近させるための近接部材と、を有し、
それぞれ複数の前記第４部材における第４本体部の内部に、それぞれ複数の前記第１部材における第１本体部の一部を配置することで、
前記近接部材によって、前記第４部材を介して配置された前記第１部材同士が接近すると共に、
前記第４部材を介して配置された前記第１部材同士を引き伸ばしたときに、前記第１部材における前記第１開口部と、前記第４部材における前記第４開口部と、が係合するアクセサリ。
【請求項３】
前記近接部材は、スプリングであり、交互に複数配置した前記第１部材の内部にそのスプリングを配置した請求項１または２記載のアクセサリ。
【請求項４】
前記近接部材は、ゴムひもであり、交互に複数配置した前記第１部材の内部にそのゴムひもを配置した請求項１または２記載のアクセサリ。
【請求項５】
前記近接部材は、複数の磁石であり、交互に複数配置した前記第１部材の内部に、その磁石をそれぞれ配置した請求項１または２記載のアクセサリ。
【発明の詳細な説明】
【技術分野】
【０００１】
本発明は、アクセサリに関するものであり、特にネックレス、ブレスレット、または、アンクレットに関するものである。
【背景技術】
【０００２】
従来のネックレス等を首等に取り付ける際は、鎖状の本体の両端に取り付けた留め具を首の後ろにおいて、取り外し動作をしていた。また、ブレスレットにおいては、片手で取り外し動作を行わなくてはならず、きわめて不便であった。
【０００３】
これを解決するものとして、特開２０１７−８６８２８号公報において開示されている構成は、符号２の玉や石を、符号４の強力弾体または符号５の弱力弾体で連結したものである。この符号４の強力弾体または符号５の弱力弾体はゴムひものようなものが想定されている。
【０００４】
しかしながら、上記公報で開示されている符号４の強力弾体または符号５の弱力弾体で想定されているゴムひもであれば、使用を繰り返すことによって、そのゴムひもが伸びきってしまい限界が生じるとやがて切れてしまう場合がある。その場合に玉や石が飛び散ってしまい、きわめて不利不便である。また、ゴムひもが切れなくても、符号２の玉や石の間からそのゴムひもが見えてしまい美観に劣る場合がある。とくにその符号２の玉や石が貴金属や高価な宝石を使用した場合に、美観が劣るということは致命的である。
【先行技術文献】
【特許文献】
【０００５】
【特許文献１】特開２０１７−８６８２８号公報
【発明の概要】
【発明が解決しようとする課題】
【０００６】
本発明は前記の実情に鑑みてなされたもので、その課題は、必ずしも留め具を必要とせず、美観にすぐれたアクセサリを提供することである。
【課題を解決するための手段】
【０００７】
第１観点におけるアクセサリは、中空状の第１本体部と、その第１本体部の両端に開口する第１開口部を有する第１部材と、中空状の第２本体部と、その第２本体部の両端に開口する第２開口部を有する第２部材と、第１部材と、第２部材と、を交互に複数配置し、第２部材を介して配置した第１部材と、他の第１部材と、を接近させるための近接部材と、を有し、それぞれ複数の第２部材における第２本体部の内部に、それぞれ複数の第１部材における第１本体部の一部を配置することで、近接部材によって、第２部材を介して配置された第１部材同士が接近すると共に、第２部材を介して配置された第１部材同士を引き伸ばしたときに、第１部材における第１開口部と、第２部材における第２開口部と、が係合するというものである。
【０００８】
第２観点におけるアクセサリは、中空状の第１本体部と、その第１本体部の両端に開口する第１開口部を有する第１部材と、中空であり球状を呈する第４本体部と、その第４本体部の両端に開口する第４開口部を有する第４部材と、第１部材と、第４部材と、を交互に複数配置し、第４部材を介して配置した第１部材と、他の第１部材と、を接近させるための近接部材と、を有し、それぞれ複数の第４部材における第４本体部の内部に、それぞれ複数の第１部材における第１本体部の一部を配置することで、近接部材によって、第４部材を介して配置された第１部材同士が接近すると共に、第４部材を介して配置された第１部材同士を引き伸ばしたときに、第１部材における第１開口部と、第４部材における第４開口部と、が係合するというものである。
【０００９】
第３観点におけるアクセサリは、第１観点または第２観点において、近接部材は、スプリングであり、交互に複数配置した第１部材の内部にそのスプリングを配置したというものである。
【００１０】
第４観点におけるアクセサリは、第１観点または第２観点において、近接部材は、ゴムひもであり、交互に複数配置した第１部材の内部にそのゴムひもを配置したというものである。
【００１１】
第５観点におけるアクセサリは、第１観点または第２観点において、近接部材は、複数の磁石であり、交互に複数配置した第１部材の内部に、その磁石をそれぞれ配置したというものである。
【発明の効果】
【００１２】
本発明は以上のように構成され、かつ、作用するものであるから、必ずしも留め具を必要とせず、美観にすぐれたアクセサリを提供することができる。
【図面の簡単な説明】
【００１３】
【図１】Ａは、第１実施例におけるアクセサリを伸ばす前の状態の全体図。Ｂは、第１実施例におけるアクセサリを伸ばした状態の全体図。
【図２】Ａは、第１実施例におけるアクセサリを伸ばす前の部分断面図、Ｂは、第１実施例におけるアクセサリを伸ばした状態の部分断面図。
【図３】Ａは、第２実施例におけるアクセサリを伸ばす前の部分断面図、Ｂは、第２実施例におけるアクセサリを伸ばした状態の部分断面図。
【図４】Ａは、第３実施例におけるアクセサリを伸ばす前の部分断面図、Ｂは、第３実施例におけるアクセサリを伸ばした状態の部分断面図。
【図５】Ａは、第４実施例におけるアクセサリを伸ばす前の部分断面図、Ｂは、第４実施例におけるアクセサリを伸ばした状態の部分断面図。
【図６】Ａは、第５実施例におけるアクセサリを伸ばす前の部分断面図、Ｂは、第５実施例におけるアクセサリを伸ばした状態の部分断面図。
【図７】Ａは、第６実施例におけるアクセサリを伸ばす前の部分断面図、Ｂは、第６実施例におけるアクセサリを伸ばした状態の部分断面図。
【発明を実施するための形態】
【００１４】
以下図示の実施形態を参照して第１実施例におけるアクセサリ１０について説明する。アクセサリ１０は、そのサイズによって、図示しない使用者の首周りに装着するネックレス、または、その腕周りに装着するブレスレット、足首周りに装着するアンクレットとして使用することができる（図１参照）。
【００１５】
アクセサリ１０は、複数の第１部材２０と、複数の第２部材３０と、近接部材４０とを有する。第１部材２０は、第１本体部２１と、その第１本体部２１の両端に開口する第１開口部２２、２２を有する。第１本体部２１は、中空筒状を呈し、その両端は、その中空筒状の内部と連通し開口する開口部２２、２２を有している。その開口部２２、２２は、断面視において、その径が外部に向かって徐々に拡大するように、いわゆるベルマウス形状を呈している（図２参照）。
【００１６】
第２部材３０は、第２本体部３１と、その第２本体部３１の両端に開口する第２開口部３２、３２を有する。第２本体部３１は、中空筒状を呈し、その両端は、その中空筒状の内部と連通し開口する第２開口部３２、３２を有している。第２開口部３２、３２は、断面視において、その径が外部に向かって縮小するように、断面視先すぼまりの形状を呈している（図２参照）。なお、その両端は、その中空筒状の内部と連通し開口する第２開口部３２、３２を有すればその他の部分は閉塞するという構成であってもよい（図示せず）。
【００１７】
第１実施例における近接部材４０は、たとえばアクセサリ１０の長さを縮める方向に作用するものであり、第１実施例においてはコイルスプリング４１を使用することができる。これは、複数の第１部材２０と複数の第２部材３０とを交互に組み合わせて、その内部に連通するように、この近接部材４０であるコイルスプリング４１を使用することができる。
【００１８】
具体的には、第１部材２０の一方を、一方の第２部材３０の内部に配置し、その第１部材２０の他方を、他方の第２部材３０の内部に配置する。これを、第１部材２０と、第２部材３０と、を交互に複数配置し、その近接部材４０であるコイルスプリング４１の端部４５、４５を連結部材４７によって連結することで、環状のアクセサリ１０を得ることができる。なお、長さについては、必要に応じて、第１部材２０と、第２部材３０との数量を調整すれば好ましい。
【００１９】
上記のとおり、第１部材２０と、第２部材３０とを交互に複数配置し、その内部に、近接部材４０であるコイルスプリング４１を連通するように配置する。これにより、この近接部材４０は、第１部材２０と、他の第１部材２０とを互いに接近させるものである。すなわち、第２部材３０を介して隣接する第１部材２０同士を接近させるというものである。このような構成のアクセサリ１０を、たとえば図示しない使用者の首周りに装着する場合は、アクセサリ１０の径を拡大するように伸ばすことによって、その首周りに装着することができる（図１Ｂ参照）。
【００２０】
この場合、上記のとおり、第１部材２０の一部は、第２部材３０の内部に配置している。すなわち、第１部材２０における第１本体部２１が、一方の第２部材３０における第２本体部３１の内部に、第１本体部２１の一部およびその一方の開口部２２が配置される。これを、繰り返して配置し、コイルスプリング４１をそれらの内部に連通するように配置する。さらに、任意の箇所で、コイルスプリング４１の両端に配置している端部４５、４５同士を連結部材４７で連結すれば、上記のとおりアクセサリ１０が構成される。なお連結部材４７はリング状のものを使用することができるがこれに限られることはない。
【００２１】
伸ばす前の状態の第１実施例におけるアクセサリ１０（図１Ａ参照）を、上記のとおり引き伸ばすと（図１Ｂ参照）、第１部材２０におけるベルマウス形状を呈する開口部２２が、第２開口部３２の内側に当接する。また、第１部材２０におけるベルマウス形状を呈する他の開口部２２が、他の第２開口部３２の内側に当接する。また、第２開口部３２、３２は、第１部材２０における第１本体部２１が移動するのに充分な径を有するものであり、その第１本体部２１の両端に開口する第１開口部２２、２２が、第２開口部３２、３２に係合する大きさであることが好ましい。すなわち、第１開口部２２、２２の開口する径よりも、第２開口部３２、３２の開口する径が小さいことが好ましい。
【００２２】
この構成により、必要以上にアクセサリ１０が、伸ばされることがなく、コイルスプリング４１が必要以上に伸ばされることもない。また、本実施例におけるアクセサリ１０の外部から伸ばされたコイルスプリング４１が見えることもない。従って、美観にすぐれたアクセサリ１０を提供することができる。また、縮んだアクセサリ１０を（図１Ａ参照）、伸ばすことができるので（図１Ｂ参照）、必ずしも留め具を必要としないで、片手でそのアクセサリ１０を自在に取り外しすることができる。
【００２３】
また、第２実施例におけるアクセサリ１１は、第１実施例におけるアクセサリ１０における近接部材４０であるコイルスプリング４１を、ゴムひも５１に換えたというものである。従って、近接部材４０であるゴムひも５１は、アクセサリ１１の長さを縮める方向に作用するものであり、その他の構成は上記第１実施例と同様であるので、同様の符号を付しその説明を省略する（図３参照）。
【００２４】
第２実施例におけるアクセサリ１１を、上記のとおり引き伸ばすと、第１部材２０におけるベルマウス形状を呈する開口部２２が、第２開口部３２の内側に当接する。また、第１部材２０におけるベルマウス形状を呈する他の開口部２２が、他の第２開口部３２の内側に当接する（図３参照）。
【００２５】
これにより、必要以上にアクセサリ１１が、伸ばされることがなく、ゴムひも５１が必要以上に伸ばされることもない。また、本実施例におけるアクセサリ１１の外部から伸ばされたゴムひも５１が見えることもない。従って、美観にすぐれたアクセサリ１１を提供することができる。また、縮んだアクセサリ１１を、伸ばすことができるので、必ずしも留め具を必要としないで、片手でそのアクセサリ１１を自在に取り外しすることができる（図３参照）。
【００２６】
また、第３実施例におけるアクセサリ１２は、第１実施例におけるアクセサリ１０における近接部材４０であるコイルスプリング４１を、複数の磁石６１に換えたというものである。従って、近接部材４０である複数の磁石６１は、アクセサリ１２の長さを縮める方向に作用するものである。これについて説明すると、複数の磁石６１のうち、１の磁石６１を、第１部材２０における第１本体部２１の内部に配置する。このとき、磁石６１のＳ極６２とＮ極６３とを、向きをそろえるように配置する。すなわち、第２部材３０を介して互いに隣接する複数の第１部材２０における第１本体部２１内に１の磁石６１を配置し、他の隣接する第１本体部２１内に他の磁石６１を配置する。その際に、１の磁石６１と、他の磁石６１とがそれぞれ吸引するように、磁石６１のＮ極６２と、他の磁石６１とのＳ極とを隣接するように配置する。これを第１本体部２１内に配置することにより、第２部材３０を介して互いに隣接する第１本体部２１同士が互いに吸引する（図４参照）。その他の構成は上記の実施例と同様であるので、同様の符号を付しその説明を省略する。
【００２７】
なお、第２部材３０を介して互いに隣接する第１本体部２１同士が吸引し、互いに接近することに抗するように、図示しない使用者が第３実施例におけるアクセサリ１２を、引き伸ばすと、第１部材２０におけるベルマウス形状を呈する開口部２２が、第２部材３０における第２開口部３２の内側に当接する。また、第１部材２０におけるベルマウス形状を呈する他の開口部２２が、他の第２部材３０における第２開口部３２の内側に当接する。
【００２８】
第３実施例におけるアクセサリ１２を、引き伸ばすと、第１部材２０におけるベルマウス形状を呈する開口部２２が、第２開口部３２の内側に当接する。また、第１部材２０におけるベルマウス形状を呈する他の開口部２２が、他の第２開口部３２の内側に当接する。これにより、必要以上にアクセサリ１２が、伸ばされることがない。従って、この場合においても磁石６１は、外部から見えないので美観にすぐれたアクセサリ１２を提供することができる。また、縮んだアクセサリ１２を、伸ばすことができるので、必ずしも留め具を必要としないで、片手でそのアクセサリ１２を自在に取り外しすることができる（図４参照）。
【００２９】
第４実施例におけるアクセサリ１３について説明する。第１実施例におけるアクセサリ１０と、第４実施例におけるアクセサリ１３と、の相違は、第２部材３０と、第４部材３００との相違である。第４部材３００は、第４本体部３１０の両側に開口する第４開口部３２０、３２０を有する。第４本体部３１０は、全体が球状を呈し、その内部が中空状を呈している。また、第４開口部３２０、３２０は、第１部材２０における第１本体部２１が移動するのに充分な径を有するものであり、その第１本体部２１の両端に開口する第１開口部２２、２２が、第４開口部３２０、３２０に係合する大きさであることが好ましい。すなわち、第１開口部２２、２２の開口する径よりも、第４開口部３２０、３２０の開口する径が小さいことが好ましい（図５参照）。なお、その他の構成は上記の実施例と同様であるので、同様の符号を付しその説明を省略する。
【００３０】
第４実施例におけるアクセサリ１３を、引き伸ばすと、第１部材２０におけるベルマウス形状を呈する開口部２２が、第４部材３００において、第４本体部３１０の両側に開口する第４開口部３２０、３２０の内側に当接する。また、第１部材２０におけるベルマウス形状を呈する他の開口部２２が、他の第４開口部３２０の内側に当接する。
【００３１】
これにより、必要以上にアクセサリ１３が、伸ばされることがなく、コイルスプリング４１が必要以上に伸ばされることもない。また、本実施例におけるアクセサリ１３の外部から伸ばされたコイルスプリング４１が見えることもない。従って、美観にすぐれたアクセサリ１３を提供することができる。また、縮んだアクセサリ１３を、伸ばすことができるので、必ずしも留め具を必要としないで、片手でそのアクセサリ１３を自在に取り外しすることができる（図５参照）。
【００３２】
また、第５実施例におけるアクセサリ１４は、第４実施例におけるアクセサリ１３における近接部材４０であるコイルスプリング４１を、ゴムひも５１に換えたというものである。その他の構成は上記第４実施例と同様であるので、同様の符号を付しその説明を省略する（図６参照）。
【００３３】
第５実施例におけるアクセサリ１４を、引き伸ばすと、第１部材２０におけるベルマウス形状を呈する開口部２２が、第４部材３００において、第４本体部３１０の両側に開口する第４開口部３２０、３２０の内側に当接する。また、第１部材２０におけるベルマウス形状を呈する他の開口部２２が、他の第４開口部３２０の内側に当接する（図６参照）。
【００３４】
これにより、必要以上にアクセサリ１４が、伸ばされることがなく、ゴムひも５１が必要以上に伸ばされることもない。また、本実施例におけるアクセサリ１４の外部から伸ばされたゴムひも５１が見えることもない。従って、美観にすぐれたアクセサリ１４を提供することができる。また、縮んだアクセサリ１４を、伸ばすことができるので、必ずしも留め具を必要としないで、片手でそのアクセサリ１４を自在に取り外しすることができる（図６参照）。
【００３５】
また、第６実施例におけるアクセサリ１５は、第４実施例におけるアクセサリ１３における近接部材４０であるコイルスプリング４１を、複数の磁石６１に換えたというものである。磁石６１については上記の通りであるので同一の符号を付しその説明は省略する（図７参照）。
【００３６】
第６実施例におけるアクセサリ１５を、引き伸ばすと、第１部材２０におけるベルマウス形状を呈する開口部２２が、第４部材３００において、第４本体部３１０の両側に開口する第４開口部３２０、３２０の内側に当接する。また、第１部材２０におけるベルマウス形状を呈する他の開口部２２が、他の第４開口部３２０の内側に当接する。これにより、必要以上にアクセサリ１５が、伸ばされることがない。従って、美観にすぐれたアクセサリ１５を提供することができる。また、縮んだアクセサリ１５を、伸ばすことができるので、必ずしも留め具を必要としないで、片手でそのアクセサリ１５を自在に取り外しすることができる（図７参照）。
【００３７】
なお、アクセサリ１０のみならず、アクセサリ１１からアクセサリ１５について、そのサイズによって使用する第１部材２０および第２部材３０または第４部材３００の数量及びそれらの大きさを適するように使用することによって、図示しない使用者の首周りに装着するネックレス、または、その腕周りに装着するブレスレット、足首周りに装着するアンクレットとして使用することができることはいうまでもない。また、アクセサリ１０のみならず、アクセサリ１１、アクセサリ１２、アクセサリ１４、アクセサリ１５についての近接部材４０であるコイルスプリング４１の両端部４５、４５同士を連結する連結部材４７によって連結することで、必要な長さを有し、かつ環状のアクセサリ１０を得ることができる。これによって必ずしも留め具を必要としない上記の環状を呈するネックレス、ブレスレット、アンクレットを構成することができる。またゴムひも５１であれば、その両端部を連結すれば足りる（図示せず）。
【００３８】
また、アクセサリ１０のみならず、アクセサリ１１からアクセサリ１５について使用を繰り返したとしても、必ずしも留め具を必要としないので片手で取り外し操作することができるとともに、上記それぞれの開口部２２が、第２開口部３２または第４開口部３２０の内側に当接することで、たとえば、近接部材４０が、コイルスプリング４１であればそのコイルスプリング４１が伸びきることがなく、また、ゴムひも５１である場合はそのゴムひも５１が伸びきって切れるということもない。従って、ゴムひも５１等の近接部材４０に過度な負担を掛けることもないので耐久性に富むという効果を奏するものである。また、上記のとおり、それらいずれの近接部材４０がアクセサリ１１からアクセサリ１５のいずれかの外部から見えるということがないので、美観に優れているという効果を奏するものである。
【符号の説明】
【００３９】
１０  第１実施例におけるアクセサリ
１１  第２実施例におけるアクセサリ
１２  第３実施例におけるアクセサリ
１３  第４実施例におけるアクセサリ
１４  第５実施例におけるアクセサリ
１５  第６実施例におけるアクセサリ
２０  第１部材
２１  第１本体部
２２  第１開口部
３０  第２部材
３１  第２本体部
３２  第２開口部
４０  近接部材
４１  コイルスプリング
５１  ゴムひも
６１  磁石
３００  第４部材
３１０  第４本体部
３２０  第４開口部
【図１】
2019092728.tif 000003
【図２】
2019092728.tif 000004
【図３】
2019092728.tif 000005
【図４】
2019092728.tif 000006
【図５】
2019092728.tif 000007
【図６】
2019092728.tif 000008
【図７】
2019092728.tif 000009